(57)【要約】【課題】本発明は、スカーフ等を着用する際に、ドレス等や身体に損傷を与えず、質・量感を持たせて、優雅なドレープを作るための留め具である。【解決手段】アンダーストッパー２とスカーフキーパー３から構成されたスカーフ等の留め具１であり、上記アンダーストッパー２は、それ自身が磁性を持つ材料からなるか、又は磁石が組み込まれたベース４単独か、又は磁性を持たない材料からなるベース４と磁石５と結合されたものであり、上記スカーフキーパー３は、スカーフ等Ｓを保持するためのループ状の線状体８と、この線状体を支持しているホルダー７からなり、このホルダー７が磁石又は磁石に吸着する性質を持つ部品で形成されているか、もしくは磁石や磁石に吸着する性質を持つ部品６に結合されていることを特徴とする。【選択図】　図１
2004105505.tif 000002
【特許請求の範囲】
【請求項１】
アンダーストッパー（２）とスカーフキーパー（３）から構成されたスカーフ等の留め具（１）であり、アンダーストッパー（２）とスカーフキーパー（３）の少なくともどちらか一方に磁石を用い、上記アンダーストッパー（２）は、それ自身が磁性を持つ材料からなるか、又は磁石が組み込まれたベース（４）単独か、又は磁性を持たない材料からなるベース（４）と磁石（５）と結合されたものであり、上記スカーフキーパー（３）は、スカーフ等（Ｓ）を保持するためのループ状の線状体（８）と、この線状体を支持しているホルダー（７）からなり、このホルダー（７）が磁石又は磁石に吸着する性質を持つ部品で形成されているか、もしくは磁石や磁石に吸着する性質を持つ部品（６）に結合されていることを特徴とするスカーフ等の留め具。
【発明の詳細な説明】
【０００１】
【発明の属する技術分野】
本発明は、ドレス等の上にスカーフ等を一束にまとめて質感や量感を出し、美しいドレープを作り保持するための、留め具に関するものである。
【０００２】
【従来の技術】
従来、スカーフ等をワンピースやブラウス等のドレスの上から装着する場合、ピン類或いはリング類或いはクリップ類を使用することが多い。
詳しくはピン型やブローチ型などの針を使用するもの、スカーフリング型などのようにドレス等には保持させないもの、ネックレス型などのようにスカーフ等をくぐらせるだけのもの、クリップ型などのようにドレス等の開閉口や端にのみ使用するものがある。しかし、ピン型はドレスに穴を開けたり身体にも傷を付けたりする恐れもあり、リング型はドレスに留めることができないのでドレスとの一体感が望めず、クリップ型は使用するところに限りがあり、ネックレスは必ずしもその長さが装着に適当とは限らない。それらの欠点を補うために、実開昭５５−８２９１２や実開平５−２０３０２に代表されるように、従来から様々な磁石を使用した改良型とも言える留め具が発明・考案されてきた。
【０００３】
【発明が解決しようとする課題】
しかし、従来の留め具には以下のような問題があった。
たとえば、ピン型やブローチ型は、穴をあけて使用するため衣服に損傷をもたらし、使用者使用法によっては身体を傷つける危険性があり、また作用部分が小さくて使用しにくい、という欠点を持っている。ブローチ型は、針でドレス等に穴をあけ、そのもの自体の重量で衣服を引っ張るので、薄いドレス等には損傷を与えてしまう。またブローチがスカーフや衣服の趣向と合わない場合がある、という欠点を持つ。スカーフリング型は、衣服に留められないので使用方法が限られ、またブローチがスカーフや衣服の趣向と合わない場合があり、身体の動きにより、スカーフの形状が崩れやすい、という欠点を持つ。ネックレス型は、ネックレスの長さが、いつも適当であるとは限らないし、ネックレスがスカーフや衣服の趣向と合わない場合がある、という欠点を持つ。クリップ型は、衣服の開閉口や端を利用してしか使えない、という欠点を持つ。また上記のもので留めた場合、一度止めてしまうとその位置を微少調整することは難しい。
【０００４】
それらの欠点を補うために、従来にも様々な磁石を使用した留め具が発明・考案されており、代表的なものとして実開昭５５−８２９１２や実開平５−２０３０２が開示されている。
実開昭５５−８２９１２は、永久磁石端部に設けた空隙に凸状の突起部をはめあわせるものであり、ドレスなどの袖口や前後部の開閉部に使用するものである。そして、引例の磁気止め具は、そこの示された図にて明らかなように空隙部と突起部は隙間なくキッチリと組み合わさるものであり、また鋭いエッジ状のへりで組み合わさるものであり、いずれも一旦止めてしまうとその後は微調整がしにくい。しかしながら、スカーフ等を身に付ける場合、身に付けた感じ、デザインの全体のバランス等を考え微妙に調整をしながら止める位置を決めることが必要である。また外部からの力により布地が引っ張られた場合など布地を傷めないためには対応してずれることがよい。また、上記のような止め具によれば、布地を無理に押し付けて止めることとなり布地にしわや跡が残ることとなる。
【０００５】
また、実開平５−２０３０２は、家庭用の器具に布などのカバーをする場合のものであり、本発明のように、スカーフ等を一束にまとめて質感や量感を出し、美しいドレープをつくることはできない。
【０００６】
【課題を解決するための手段】
アンダーストッパー２とスカーフキーパー３から構成されたスカーフ等の留め具１であり、アンダーストッパー２とスカーフキーパー３の少なくともどちらか一方に磁石を用い、上記アンダーストッパー２は、それ自身が磁性を持つ材料からなるか、又は磁石が組み込まれたベース４単独か、又は磁性を持たない材料からなるベース４と磁石５と結合されたものであり、上記スカーフキーパー３は、スカーフ等Ｓを保持するためのループ状の線状体８と、この線状体を支持しているホルダー７からなり、このホルダー７が磁石又は磁石に吸着する性質を持つ部品で形成されているか、もしくは磁石や磁石に吸着する性質を持つ部品６に結合されていることを特徴とする。
【０００７】
本発明でいうアンダーストッパー２は、一部又は全体が磁石であるか、又は磁石に吸着される金属か、又は磁性を帯びた材料、例えば磁性金属、磁性ゴム、磁性繊維などで形成されたベース４単独であるか、又は磁石に吸着する性質のない材料、例えば布製、ゴム製、革製、プラスチック製、樹脂製などで形成されたベース４に磁石５が結合されたものであってもよい。またアンダーストッパー２は、全体が布で覆われていてもよい。本発明のアンダーストッパー２で用いるベース４は、肩の曲線や腰の曲線に沿うように湾曲形状になることが望ましい。
【０００８】
スカーフキーパー３のホルダー７は、磁石又は磁性体で形成されているか、もしくは磁石６に結合されている。ホルダー７が磁石又は磁石に吸着する特性を持たない材料で作られる場合は、ホルダー７を磁石又は磁石に吸着する性質を持った部品６に結合させてもよい。また同様にホルダー７が磁石又は磁石に吸着する性質を持たない場合は、ホルダー７自体を樹脂やプラスチックなどで作って、磁石又は磁石に吸着する性質を持った部品６を包み込むようにしてもよい。また、ホルダー７は、磁石又は磁石に吸着する性質を持った材料で作られた部品６に穴を開けて、そこにループ状の線状体８を保持させてもよい。
【０００９】
本発明で用いるループ状の線状体８としては、スカーフ等がしっかり保持できれば１本でも構わず、形状としては必ずしも閉じた環状だけでなく、楕円状、弓形などでもよい。材質としては、ステンレスワイヤーや針金やテグスなどがデザイン的にも一般的であるが、これに限定されるものではない。
【００１０】
そして、このループ状の線状体８は、ホルダー７の穴に通されているが、ループ状の線状体８をホルダー７に保持させる方法や、ホルダー７を磁石又は磁石に吸着する性質を持った部品６に結合させる方法は、限定されない。
【００１１】
【発明の実施の形態】
以下、図面を用いて、本発明の実施の形態例を説明する。
図１が、本発明の実施の一例である。アンダーストッパー２のベース４は、厚さ２ｍｍ、幅２０ｍｍ、長さ８０ｍｍの編み込みの布製のベルトを湾曲させて使用した。そしてそのベース４の湾曲させた内側に付ける磁石５は、コイン状で直径１２ｍｍ、厚さ１．２ｍｍのものを使用した。スカーフキーパー３には、極細のステンレスワイヤー５０ｃｍを３重の輪にしてループ状の線状体８として用い、そのホルダー７としては、１辺が４ｍｍ角の穴が開いたプラスチック製ビーズ材を使用した。また、そのビーズ材自体が磁石ではなくまた磁石に吸着する性質も有していないため、コイン状で直径１２ｍｍ、厚さ１．２ｍｍの磁石６を結合させた。図１に示すように、ベース４と磁石５、磁石に吸着する性質を持つ部品６とホルダー７は、強固な接着剤で結合した。
【００１２】
なお、本実施例以外にも、ベース４自体が磁石に吸着する性質を持ち体の曲線に沿ってたわむものならば、磁石５をわざわざベース４に結合させる必要はなく、その場合は装着時の違和感も少なくなる。同様に、スカーフキーパー３も、視覚的に違和感さえなければ、ホルダー７の大きさや形状は限定されず、またループ状の線状体８の材質も限定されない。
【００１３】
図２は、図１で説明した本発明を装着する方法の一例を、実際に肩に用いている状態を示す図である。図７で示すスカーフのＥ部とＦ部を肩にかけ、Ｆ部を本発明のスカーフ等の留め具１でドレスに留めている。まず、ドレスの下にベース４を装着する。次に、スカーフをループ状の線状体８にくぐらせたスカーフキーパー３を、ドレスを介して磁石の力によりアンダーストッパー２に結合させる。
【００１４】
図３に本発明のスカーフ等の留め具１を実際に１つ使った着用例を示す。図３はスカーフ等の留め具１を１個使用し、スカーフＳをループ状の線状体８にくぐらせたものである。図６に示すスカーフ等のＡ、Ｂ部を一つにまとめ、ループ状の線状体８にくぐらせ、スカーフ等の留め具１で衣服に留めている。スカーフが風になびき、また動作によって流れるように動くので、優雅さを求める場合に有効な使用法である。
【００１５】
図４に本発明のスカーフ等の留め具１を実際に２つ使った他の着用例を示す。図４はスカーフ等の留め具１を２個使用し、対角線で折ったスカーフ等Ｓを両肩に装着したものである。図７のスカーフのＥ部とＦ部をそれぞれ両肩にかけ、スカーフ等の留め具１で衣服に留めている。このように使用すれば、スカーフに質感や量感を持たせることができので、豪華でボリューム感のある装いを演出したい場合に有効な使用例である。
【００１６】
図５に本発明のスカーフ等の留め具１を実際に２つ使った他の着用例を示す。図５はスカーフ等の留め具を２個使用し、スカーフを肩と腰に装着したものである。図６のスカーフのＡＢ部をまとめてひとつのループ状の線状体８にくぐらせてスカーフ等の留め具１で肩に留め、Ｃをもうひとつのスカーフ等の留め具１で腰に留めている。スカーフに質感や量感や遊動性を持たせ、また一着のドレスで何着ものドレスのように見せる場合に有効な使用例である。
【００１７】
【発明の効果】
本発明を実際に使用した場合では、ループ状の線状体８にスカーフ等をくぐらせることによって装着したため、スカーフ等の布地や身体を傷めることが全くなかった。また布の片側全体を一束にまとめて美しいドレープを作ったり、時と場所により、そのドレープを形状自在に調整したりするのも容易であった。また、アンダーストッパー２が適度な長さと幅と柔軟性とカーブを有するため、ドレス等の下に装着してもずれにくく安定していたので、スカーフ等の形状の崩れを気にする必要がなかった。また、アンダーストッパー２の位置さえ決まればスカーフキーパー３を鏡を見ないで結合させることも可能なので、洗面所や更衣室などの鏡が小さい場合や、廊下の片隅などで鏡がない場合でも、スカーフを簡単に装着でき大変に便利であった。以上のように、本発明の留め具を使用すれば、スカーフなどの布製品や身体を傷めることがなく、またその止める位置やスカーフの形状を自由に調整することができ、なおかつ容易に着脱することができた。
【００１８】
また本発明はデザイン的にも優れた効果を有するもので、複数個を使用すれば今までに例の無かった美しいドレープを作ることもでき、個性的で大胆かつ優雅な装いを楽しめる。
【００１９】
また、スカーフを取り替えたり、スカーフの着用方法を変えたりすれば、一着のドレスで何通りにも装いを楽しめる。
また従来外食時などの際、手元が狂うことやふとしたことから、女性にはドレス等が汚れないかという心配が常につきまとったが、本発明スカーフ等の留め具とナフキンの代替としてのスカーフで、おしゃれな雰囲気のうちに食事を楽しむことができる。
【００２０】
また、ケアハウスや老人ホームなどで本発明のスカーフ等の留め具と洗濯のできるスカーフを使用すれば、障害者や高齢者は、スカーフをエプロン（前掛け）として機能させながら、おしゃれな装いを楽しみ、尊厳を保ちつつ食事をすることができる。
【図面の簡単な説明】
【図１】本発明の実施の形態の一例を示す説明図
【図２】本発明を実際に装着する方法を示す説明図
【図３】本発明を実際に１つ使った着用例を示す説明図
【図４】本発明を実際に２つ使った着用例を示す説明図
【図５】本発明を実際に肩と腰に２つ使った着用例を示す説明図
【図６】スカーフを広げた説明図
【図７】スカーフを対角線で二つ折りにした説明図
【符号の説明】
１　スカーフ等の留め具
２　アンダーストッパー
３　スカーフキーパー
４　ベース
５　磁石
６　磁石や磁石に吸着する性質を持つ部品
７　ホルダー
８　ループ状の線状体
Ｓ　スカーフ等
【図１】
2004105505.tif 000003
【図２】
2004105505.tif 000004
【図３】
2004105505.tif 000005
【図４】
2004105505.tif 000006
【図５】
2004105505.tif 000007
【図６】
2004105505.tif 000008
【図７】
2004105505.tif 000009